(57)【要約】【課題】  お茶が漏れ出すことがなく、水の注入が容易である容器を提供する。【解決手段】  第一開口２１と第二開口２２とを持つ収容空間２を有する本体１を備える。平常時では、第一開口２１は本体１の上段の上端に位置し、第二開口２２は本体１の下段の底端に位置する。第一開口２１の径は第二開口２２の径よりも小さく、且つ第一開口２１と第二開口２２とには上蓋４と底蓋５とが別々にカバーする。上蓋４には貫通孔４１１が開けてあり、上蓋４の内面には軟質パッド４２が設けてあり、軟質パッド４２には貫通孔４１１と連通するギャップ４２１が設けてある。第二開口２２には濾過コップ６が設けてあり、濾過コップ６の底端は下向きのコップ開口部を有する。濾過コップ６が第二開口２２に定位するために、コップ開口部には周縁から外側へ突起する止め部６２が設けてある。【選択図】    図２
0003103194.tif 000002
【実用新案登録請求の範囲】
【請求項１】
別々に第一開口と第二開口とを持つ収容空間を有する本体を備え、前記第一開口と第二開口は本体の軸方向に位置し、平常時では、前記第一開口は本体の上段の上端に位置し、前記第二開口は本体の下段の底端に位置し、第一開口の径は第二開口の径よりも小さく、且つ本体の第一開口と第二開口とには上蓋と底蓋とが別々にカバーすることが可能であり、前記上蓋には貫通孔が開けてあり、前記第一開口に応じる前記上蓋の内面には軟質パッドが設けてあり、前記軟質パッドには上蓋の貫通孔と連通するギャップが設けてあり、前記収容空間の第二開口には本体から分離可能な濾過コップが設けてあり、前記濾過コップの底端は下向きのコップ開口部を有し、前記濾過コップが本体の第二開口に定位するために、前記コップ開口部には周縁から外側へ突起する止め部が設けられていることを特徴とする容器。
【請求項２】
内螺旋を持つ上蓋と底蓋とを別々に締めて固定するために、前記本体と連接する第一開口と第二開口との外縁には、第一外ねじ段と第二外ねじ段とが別々に設けてあり、且つ前記本体の前記第二外ねじ段と接する前記底蓋にはシール部材がその接触に設けられていることを特徴とする請求項１に記載の容器。
【請求項３】
前記止め部は、リング状であり、その外径が第二開口の内径よりも大きく、前記コップ開口部の内縁を嵌めて固定するために、前記底蓋の濾過コップとの接面には濾過コップのコップ開口部の内縁に応じる固定部が突設されていることを特徴とする請求項１に記載の容器。
【請求項４】
前記止め部は、コップ開口部の周縁で等距離をおき外へ突出する三つの突部から構成され、前記三つの突部を収容するために、前記第二開口には濾過コップの止め部と対応する箇所にＬ字形を呈する三つの収容溝が形成されていることを特徴とする請求項１に記載の容器。
【考案の詳細な説明】
【技術分野】
【０００１】
本考案は、容器に係り、特に、二つの開口を有し、お湯を入れる際に、茶葉が水に完全に浸され、且つ飲用の際に、茶葉を飲むことを回避できる容器に関する。
【背景技術】
【０００２】
図７に示すのは、一般のお茶を入れるための容器であり、前記容器は収容空間７１が凹設されている本体７を有し、前記収容空間７１の上には開口７１１が開けてあり、濾過コップ８を開口７１１から装入することができ、前記濾過コップ８内には茶葉Ｂが収容してあり、前記収容空間７１に被せるために、前記本体７には脱着可能な蓋９が設けてある。
【０００３】
使用時に、茶葉Ｂを濾過コップ８に入れて、収容空間にお湯を注いだ後、前記本体７の開口７１１に蓋９を被せて、収容空間７１におけるお湯により、茶葉Ｂが完全に展開し、これにより、香りよくて美味しいお茶を入れることができる。
【考案の開示】
【考案が解決しようとする課題】
【０００４】
しかしながら、上記のお茶を入れるための容器の濾過コップ８は収容区間７１の上に設置され、お湯を注ぐ際に、お湯の水面を濾過コップ８内にある茶葉Ｂの高さより高くすることが必要であり、そうしないと、茶葉Ｂがお湯に完全に浸されて展開することができないので、お茶を入れている過程中に、使用者が一部のお茶を飲むと、お湯の水面が濾過コップ８内にある茶葉Ｂの高さよりも低くなり、図８に示すように、茶葉Ｂがお湯に浸されなくなる。
【０００５】
特に、前記本体７内の濾過コップ８の開口は本体７の開口７１１と同一の方向であるので、使用者がお茶を飲むときに、茶葉が口に入ることがある。
また、上記のお茶を入れるための容器の開口は単一であり、且つ茶葉Ｂを濾過コップ８に装入するときの便利性のために、開口７１１の直径は一般に大きくし、且つ開口７１１は蓋９及び濾過コップ８に合う構造を有し、一般のコップと異なるので、使用者がお茶を飲んでいるときに、開口７１１の形体によってお茶が漏れ出すことがある。逆に、開口７１１の直径を小さくすれば、上記の現象を回避することはできるが、茶葉Ｂの装入が難しくなる。
【０００６】
本考案の主な目的は、開口を二つにし、濾過コップを収容空間の下に位置させることにより、お茶を入れるときに、茶葉が水に完全に浸され、且つお茶を飲むときに、茶葉が口に入ることを回避でき、なお、第一開口が第二開口よりも小さいので、第一開口によりお茶を飲むと、進行中にお茶を飲んでも、お茶が漏れ出すことがなく、且つ第二開口によりお湯を注ぐときに、開口がより大きいので、水の注入が容易である容器を提供する。
【課題を解決するための手段】
【０００７】
上記目的を達成するためになされた本考案は、別々に第一開口と第二開口とを持つ収容空間を有する本体を有し、前記二開口が本体の軸方向に位置し、平常時では、前記第一開口は本体の上段の上端に位置し、前記第二開口は本体の下段の底端に位置し、なお、第一開口の径は第二開口の径よりも小さく、且つ本体の第一開口と第二開口とには上蓋と底蓋とが別々にカバーすることができ、なお、前記上蓋には貫通孔が開けてあり、前記第一開口に応じる前記上蓋の内面には軟質パッドが設けてあり、前記軟質パッドには上蓋の貫通孔と連通するギャップが設けてあり、前記収容空間の第二開口には本体から分離可能な濾過コップが設けてあり、前記濾過コップの底端は下向きのコップ開口部を有し、前記濾過コップが本体の第二開口に定位するために、前記コップ開口部には周縁から外側へ突起する止め部が設けてあることを特徴とする容器であることを要旨としている。
【０００８】
本考案に係る容器よれば、開口を二つにし、濾過コップ６を収容空間２の下に位置させることにより、お茶を入れるときに、茶葉Ａがお湯に完全に浸され、且つお茶を飲むときに、茶葉が口に入ることを回避でき、なお、第一開口２１が第二開口２２よりも小さいので、第一開口２１によりお茶を飲むと、進行中にお茶を飲んでも、お茶が漏れ出すことがなく、且つ第二開口２２によりお湯を注ぐときに、開口がより大きいので、お湯の注入が容易になる。
【考案を実施するための最良の形態】
【０００９】
図１から図６を参照する。上記図面の実施例の構造は、説明するために挙げたものであるだけであり、本考案は上記の構造に限定されない。
本考案の一実施例による容器は、別々に第一開口２１と第二開口２２とを持つ収容空間２を有する本体１を有し、前記第一開口２１と第二開口２２とは本体の軸方向に位置し、平常時では、前記第一開口２１が本体１の上段の上端１１に位置し、前記第二開口２２が本体１の下段の底端１２に位置し、なお、第二開口の径は本体１の下段の内径とほぼ同じであり、第一開口２１の径は第二開口２２の径よりも小さい。本実施例では、内螺旋を持つ上蓋４と底蓋５とを別々に締めて固定して収容空間２を閉鎖するために、前記本体１と連接する第一開口２１と第二開口２２との外縁には第一外ねじ段２１１と第二外ねじ段２２１とが別々に設けてある。且つ前記第一開口２１に応じる前記上蓋４の内面４１には軟質パッド４２が設けてあり、本実施例では、前記上蓋４を第一外ねじ段２１１に締めて固定するときの密封度を増加するために、前記軟質パッド４２はシリコーンなどの軟質素材で製作され、前記上蓋４には内面４１を貫通する貫通孔４１１が開けてあり、前記軟質パッド４２には上蓋４の貫通孔４１１と連通するギャップ４２１が設けてある。
【００１０】
茶葉Ａを収容するために、前記収容空間２の第二開口２２には本体１から分離可能な濾過コップ６が設けてあり、前記濾過コップ６は金属網で作製され、茶葉Ａの移動範囲を濾過コップ６内に制限させ、なお、前記濾過コップ６の底端は下向きのコップ開口部６１を有し、前記濾過コップ６は第二開口２２と同様の位置にあり、前記コップ開口部６１には周縁から外側へ突起する止め部６２が設けてあり、本実施例では、前記止め部６２はリング状であり、その外径が第二開口２２の内径よりも大きいので、本体１の第二開口２２の周縁と当接することができ、底蓋５を本体１の第二外ねじ段に締めて固定し、濾過コップ６の止め部６２を本体１の第二開口２２と固定部５１との間に挟むことができる。
【００１１】
第二開口２２は本体１の下段の底端１２に位置し、濾過コップ６が本体１の下段の第二開口２２に設置されるので、平常時に、濾過コップ６が収容空間２の下に位置する。本実施例では、前記本体１の前記第二外ねじ段２２１と接する前記底蓋５にはシール部材５２がその接触処に設けてあり、前記シール部材５２により底蓋５を本体１の前記第二外ねじ段２２１に締めて固定するときに、両者はもっと緊密になる。前記底蓋５の濾過コップ６との接面には、濾過コップ６のコップ開口部６１の内縁に応じる固定部５１が突設してあり、そうすると、底蓋５を本体１の前記第二外ねじ段２２１に締めて固定するときに、固定部５１がコップ開口部６１の内縁を嵌めて固定して、濾過コップ６の安定性を向上する。
【００１２】
図４に示すように、平常時に、濾過コップ６が収容空間２の下に位置するので、使用するときには、本実施例に係る容器を反転して、底蓋５を緩めて開けると、濾過コップ６のコップ開口部６１は上向きであり、茶葉Ａを装入して、お湯を収容空間２内に注入して、底蓋５を締めた後、もう一度本実施例に係る容器を反転して元の状態に回復し、ここで、濾過コップ６のコップ開口部６１は下向きであり、お湯および茶葉Ａは収容空間２の下に落ちるので、お茶を入れる過程中に、使用者がお茶の一部を飲んでも、収容空間２内のお湯の水面は茶葉Ａよりも低くなる心配がない。
【００１３】
図５に示すように、前記上蓋４にある軟質パッド４２及びシール部材５２により、収容空間２内に注入されたお湯は収容空間２内に密封されるので、外出やハイキングのときに、本実施例に係る容器でお茶を入れると、携帯して歩いても、お茶が漏れ出さない。
【００１４】
本実施例に係る容器は、底蓋５の直径は本体１の下段の直径と同様なので、市販しているコップ置き枠に置くことができ、なお、第一開口２１の直径は第二開口２２の直径よりも小さいので、外出やハイキングのときに、当該容器を携帯して歩きながらお茶を飲む際に、第一開口２１によりお茶を飲むと、開口がより小さいので、お茶が漏れ出さない。なお、濾過コップ６のコップ開口部６１は第二開口２２と同様の位置にあり、且つ茶葉Ａが濾過コップ６内に止められるので、第一開口２１によりお茶を飲むときに、茶葉Ａが使用者の口に入ることがない。
【００１５】
なお、収容空間２内に収容されるお湯は収容空間２内の空気を加熱して熱膨張させるので、軟質パッド４２が外へ押されてギャップ４２１が生じて、収容空間２内の圧力がリリーフされ、図６に示すように、収容空間２の内外圧力が一致になり、そうすると、逆の場合に、収容空間２内のお湯が冷却されても、上蓋４を容易に開けることができる。
【００１６】
もちろん、本考案は別の実施例が多数にあり、それらは詳細の処の変化だけである。図７と図８を参照する。これは、本考案の別の実施例であり、濾過コップ６の止め部６２はコップ開口部６１の周縁で等距離をおき外へ突出する三つの突部から構成され、前記三つの突部を収容するために、前記第二開口２２には濾過コップ６の止め部６２と対応する箇所にＬ字形を呈する三つの収容溝２１２が形成されている。そうすると、濾過コップ６の止め部６２が第二開口２２の収容溝２１２にロックされる。
【００１７】
上記の実施例は本考案を説明するために挙げたものであり、本考案を限定するものではないので、寸法の変更や同じ効果を持つ部品の変更は全て本考案の考案申請範囲に属する。
【図面の簡単な説明】
【００１８】
【図１】本考案の一実施例による容器を示す斜視図である。
【図２】本考案の一実施例による容器を示す分解斜視図である。
【図３】本考案の一実施例による容器を示す上面図である。
【図４】本考案の一実施例による容器の使用状態を示す模式図である。
【図５】本考案の一実施例による容器の使用状態を示す模式図である。
【図６】本考案の一実施例による容器の一部を示す模式図である。
【図７】本考案の別の実施例による容器の一部を示す斜視図である。
【図８】本考案の別の実施例による容器の一部を示す断面図である。
【図９】従来の容器の上面図である。
【図１０】従来の容器の上面図である。
【符号の説明】
【００１９】
１  本体、２  収容空間、４  上蓋、５  底蓋、６  濾過コップ、１１  上端、１２  底端、２１  第一開口、２２  第二開口、４１  内面、４２  軟質パッド、５１  固定部、５２  シール部材、６１  コップ開口部、６２  止め部、２１１  第一外ねじ段、２１２  収容溝、２２１  第二外ねじ段、４１１  貫通孔、４２１  ギャップ
【図１】
0003103194.tif 000003
【図２】
0003103194.tif 000004
【図３】
0003103194.tif 000005
【図４】
0003103194.tif 000006
【図５】
0003103194.tif 000007
【図６】
0003103194.tif 000008
【図７】
0003103194.tif 000009
【図８】
0003103194.tif 000010
【図９】
0003103194.tif 000011
【図１０】
0003103194.tif 000012